(57)【要約】      （修正有）【課題】洗濯機用パンの上部で洗濯物を仮干ししても、洗濯物を洗濯機に接触させることなく、また、洗濯作業に支障を来すことのない吊戸棚を提供する。【解決手段】本考案の吊戸棚１は、箱状の本体部１１と、この本体部１１内を区画する区画板１３とを備えた上下二段構造に構成される。吊戸棚１は、上段が引出戸２１を有した上部収納部１５で構成され、下段が観音開きの扉体２７，２７を有した下部収納部１７で構成されている。引出戸２１は、案内部１９の３段式スライドレール３７によって、本体部１１内に格納する格納位置と前方へと開放する開放位置との間に案内される。これにより、引出戸２１が３段式スライドレール３７によって、開放位置に案内されることで、洗濯物（Ｔシャツ等）５を掛けたハンガー３を棒部材２３に掛け、洗濯機用パン９の上部で洗濯物５を仮干しすることが可能となる。【選択図】図２
0003210617.tif 000002
【実用新案登録請求の範囲】
【請求項１】
家屋内の洗濯機用防水パンの上方に配置される吊戸棚であって、
天板、底板、一対の側板及び背板からなる箱状の本体部が、前記一対の側板の間に設けられた区画板により、上下二段構造とされ、
前記本体部の上段には、前方へと開放され、少なくとも前板、一対の側板及び背板を備える無底の引出戸と、該引出戸の前記一対の側板の間に取付けらた棒部材とを有した、上部収納部が構成され、
前記上部収納部を、前記本体部内に格納される格納位置と前方へと開放される開放位置との間で案内する案内部を備え、
前記本体部の下段には、前方へと開放される観音開きの扉体と、下段の前記本体部内を仕切る、前記区画板と前記底板との間に配置された固定仕切り板と、下段の前記本体部内を任意の位置で仕切る、前記一対の側板と前記固定仕切り板との間に配置された可動仕切り板とを有した、下部収納部が構成されていることを特徴とする吊戸棚。
【請求項２】
前記案内部は、前記一対の側板の内側面に取付けられた一対のアウターレールと、前記引出戸の一対の側板の外側面に取付けられた一対のインナーレールと、前記一対のアウターレールと前記一対のインナーレールとを連結する一対の中間レールとからなる３段式スライドレールを備えていることを特徴とする請求項１に記載の吊戸棚。
【請求項３】
前記３段式スライドレールには、前記引出戸を前記開放位置から前記格納位置に移動させるとき、格納位置の手前で前記引出戸の移動速度を減速させ、自動的に格納位置まで引込むソフトクロージング機構を有していることを特徴とする請求項１又は２に記載の吊戸棚。
【請求項４】
前記本体部の前記底板の下面には、折りたたみバーが設けられていることを特徴とする請求項１乃至３のいずれか１項に記載の吊戸棚。
【考案の詳細な説明】
【技術分野】
【０００１】
本考案は、洗濯機用パンの上方で洗濯物の仮干しを可能とした吊戸棚に関するものである。
【背景技術】
【０００２】
従来から、洗面所等に設置された洗濯機用パンの上方には、タオル等の衣類品や、洗濯バサミ等の洗濯用具、又は、洗剤、柔軟剤等の洗濯剤を収納するのに便利なように、収納棚が設置される場合がある。例えば、特許文献１には、天板と、底板と、左右の側板と、背板と、左右の側板の間に配置された中仕切り板と、を備えた矩形箱状の収納棚本体と、この収納棚本体部の前面をヒンジを介して開閉自在な扉と、を備えた洗濯機上部収納棚が記載されている。洗濯機上部収納棚の収納棚本体の底板には、ハンガーパイプが取り付けられ、また、扉の内面にもハンガーパイプ及びハンガーフックが取り付けられている。
【先行技術文献】
【特許文献】
【０００３】
【特許文献１】実用新案登録第３１５９９３４号
【考案の概要】
【考案が解決しようとする課題】
【０００４】
しかしながら、特許文献１に記載された洗濯機上部収納棚では、例えば、タオル、ズボン、ロングスカート等の長尺物の衣類を角型ハンガーやクリップハンガー等のハンガーにクリップし、底板に設けられたハンガーパイプに掛けた場合、洗濯部が洗濯機に接触して、乾きが悪くなる虞がある。また、洗濯機用パンに縦型洗濯機を設置している場合、洗濯物を取り出す際、仮干している洗濯物によって、縦型洗濯機内の洗濯物を視認し難くなり、また、洗濯物を取り出し難くなるという問題がある。
【０００５】
本考案は、上記の点に鑑みてなされたものであり、洗濯機用パンの上部で洗濯物を仮干ししても、洗濯物を洗濯機に接触させることなく、また、洗濯作業に支障を来すことのないようにした吊戸棚を提供することを目的とする。
【課題を解決するための手段】
【０００６】
（考案の態様）
以下の考案の態様は、本考案の態様を例示するものであり、本考案の多様な構成要素の理解を容易にするために、項分けして説明するものである。以下の各項は、本考案の技術的範囲を限定するものではなく、本考案を実施する最良の形態を参酌しつつ、各項の構成要素の一部を置換し、削除し、または、さらに他の構成要素を付加した態様についても、本考案の一態様になり得るものである。
【０００７】
（１）家屋内の洗濯機用防水パンの上方に配置される吊戸棚であって、
天板、底板、一対の側板及び背板からなる箱状の本体部が、前記一対の側板の間に設けられた区画板により、上下二段構造とされ、
前記本体部の上段には、前方へと開放され、少なくとも前板、一対の側板及び背板を備える無底の引出戸と、該引出戸の前記一対の側板の間に取付けらた棒部材とを有した、上部収納部が構成され、
前記上部収納部を、前記本体部内に格納される格納位置と前方へと開放される開放位置との間で案内する案内部を備え、
前記本体部の下段には、前方へと開放される観音開きの扉体と、下段の前記本体部内を仕切る、前記区画板と前記底板との間に配置された固定仕切り板と、下段の前記本体部内を任意の位置で仕切る、前記一対の側板と前記固定仕切り板との間に配置された可動仕切り板とを有した、下部収納部が構成されている吊戸棚（請求項１）。
【０００８】
本項に係る吊戸棚は、家屋内の洗濯機用防水パンの上方に配置することにより、洗濯機用防水パンの上方の空間を有効に活用するものなる。また、本項に係る吊戸棚は、上下二段構造とされ、上段が、少なくとも前板、一対の側板及び背板を備える無底のスライド式引出戸と、この引出戸の一対の側板の間に取付けらた棒部材とを有した上部収納部として構成されている。そして、上部収納部の引出戸を本体部内に格納される格納位置と前方へと開放される開放位置との間で案内する案内部を備えている。これにより、引出戸は、格納位置と開放位置との間で円滑に移動するものとなる。なお、本説明では、引出戸が吊戸棚に格納された状態から引出される方向を「前方」という。更に、引出戸を吊戸棚（本体部）から引き出し、洗濯物（例えば、Ｙシャツ、Ｔシャツ、ズボン又はスカート、ハンドタオル、ハンカチ等）を掛けたハンガーを棒部材に掛けることで、洗濯機用パンの上部で洗濯物を仮干しするものとなる。また、引出戸が引き出された状態（引出戸が開放位置にある状態）では、引出戸が吊戸棚の上方に位置することから、棒部材に掛けられた洗濯物等の位置も必然的に高い位置となって洗濯機から離れるため、洗濯機に接触し難くなる。
【０００９】
本項に係る吊戸棚は、下段が、前方へと開放される観音開きの扉体と、下段の本体部内を仕切る固定仕切り板と、下段の本体部内を任意の位置で仕切る可動仕切り板とを有した下部収納部として構成されている。これにより、固定仕切り板と可動仕切り板とによって、複数に区分けされた収納箇所が形成され、タオル等の衣類品や、洗濯バサミ等の洗濯用具、又は、洗剤、柔軟剤等の洗濯剤を任意に複数の収納箇所それぞれに配置するものとなる。また、可動仕切り板は、任意の位置に配置することが可能であるため、適宜位置を変更するこにより、例えば、高さのある洗剤ボトル等を置くことが可能となり、利便性に優れたものとなる。
【００１０】
（２）上記（１）項において、前記案内部は、前記一対の側板の内側面に取付けられた一対のアウターレールと、前記引出戸の一対の側板の外側面に取付けられた一対のインナーレールと、前記一対のアウターレールと前記一対のインナーレールとを連結する一対の中間レールとからなる３段式スライドレールを備えている吊戸棚（請求項２）。
【００１１】
本項に係る吊戸棚の案内部は、本体部の一対の側板の内側面に取付けられた一対のアウターレールと、引出戸の一対の側板の外側面に取付けられた一対のインナーレールと、一対のアウターレールと一対のインナーレールとを連結する一対の中間レールとからなる３段式スライドレールを備える。これにより、上部収納部の引出戸を開放位置に移動させる際、一対のアウターレールから一対のインナーレール及び中間レールが開放位置側に向かって移動して、中間レールが所定の位置に達すると、一対のインナーレールが中間レールからさらに開放位置側に向かって移動する。このため、一対のアウターレールに対する一対の中間レールの移動距離、及び、一対の中間レールに対する一対のインナーレールの移動距離の和の分だけ、引出戸に取付けた棒部材を洗濯機の上方から前方へと離間させることができ、棒部材にハンガーを掛けたとしても、洗濯物が洗濯機の前方に位置して、洗濯機に接触し難くなる。
【００１２】
（３）上記（１）項又は（２）項において、前記３段式スライドレールには、前記引出戸を前記開放位置から前記格納位置に移動させるとき、格納位置の手前で前記引出戸の移動速度を減速させ、自動的に格納位置まで引込むソフトクロージング機構を有している吊戸棚（請求項３）。
【００１３】
本項に係る吊戸棚は、案内部の３段式スライドレールにソフトクロージング機構を備えている。これにより、引出戸が格納位置の手前まで移動したとき、一対の中間レールとソフトクロージング機構とが係合し、ソフトクロージング機構の緩衝作用により、一対のインナーレール及び一対の中間レールの移動速度を減速させながら、一対のインナーレール及び一対の中間レールをスライドさせる。そして、ソフトクロージング機構の引込み作用により、一対のインナーレール及び一対の中間レールを一対のアウターレール内に引込むことにより、引出戸が自動的に格納位置まで引込まれ閉止させられる。このため、ソフトクロージング機構の緩衝作用によって、引出戸が本体部に衝突するようにして当接することを防ぎ、この衝突による衝突音を低減させるものとなる。また、引出戸は、ソフトクロージング機構の引込み作用によって、自動的に格納位置まで正確に引込むことができるため、引出戸を本体部内に最後まで押込む操作が必要なくなる。
【００１４】
（４）上記（１）乃至（３）のいずれか１項において、前記本体部の前記底板の下面には、折りたたみバーが設けられている吊戸棚（請求項４）。
【００１５】
本項に係る吊戸棚は、本体部の底板の下面に、折りたたみバーを設けている。これにより、折りたたみバーをハンガー掛け又はタオル掛けとして用いることができ、利便性に優れたものとなる。
【考案の効果】
【００１６】
本考案は、洗濯機用パンの上部で洗濯物を仮干ししても、洗濯物を洗濯機に接触させることなく、また、洗濯作業に支障を来すことのない吊戸棚を提供することができる。
【図面の簡単な説明】
【００１７】
【図１】本考案の一本実施形態に係る吊吊戸棚の正面図である。
【図２】図１に示す吊戸棚を側面側から見たときの縦断面図である。
【図３】図１に示す吊戸棚の下部収納棚の開状態及び折りたたみバーの展開状態を示した正面図である。
【図４】図１に示す吊戸棚の上部収納棚の横断面図であり、（ａ）は引出戸の開放状態を示し、（ｂ）は引出戸の格納状態を示す。
【図５】図１に示す吊戸棚の下部収納棚の横断面図である。
【考案を実施するための形態】
【００１８】
以下、本考案の一実施形態に係る吊戸棚の構成を図１〜図５に基づいて詳細に説明する。
本考案の吊戸棚１は、家屋内の洗濯機用防水パン９の上方に配置され、タオル、洗濯バサミ等の洗面用具、又は、洗剤、柔軟剤等の洗濯剤を収納すること以外に、洗濯物５（例えば、Ｙシャツ、Ｔシャツ、ズボン又はスカート、ハンドタオル、ハンカチ等）を仮干しを可能にしたものである。本説明では、一実施形態に係る吊戸棚１において、後述する引出戸２１が吊戸棚１に格納された状態（図４（ｂ）参照）から引出される方向（図４（ａ）参照）を「前方」と定義し、引出戸２１が引出された状態から吊戸棚１に格納される方向を「後方」と定義する。
【００１９】
図１〜図４に示すように、吊戸棚１は、天板１１ａ、底板１１ｂ、一対の側板１１ｃ，１１ｃ及び背板１１ｄからなる箱状の本体部１１と、この本体部１１の一対の側板１１ｃ，１１ｃの間に設けた区画板１３とを備え、この区画板１３によって、上下二段構造に構成されている。また、本体部１１の前面側の外周には、枠体１４が設けられている。下段の本体部１１の一対の側板１１ｃ，１１ｃの内側面には、後述する脱落防止用ダボ３３（図２参照）を挿入する複数の穴１２（図２参照）が形成されている。吊戸棚１は、上段がスライド式収納部１５（上部収納部）で構成され、下段が観音開き式収納部１７（下部収納部）で構成されている。また、吊戸棚１は、後述する上部収納部１５の引出戸２１を、本体部１１内に格納する格納位置（図４（ｂ）参照）と前方へと開放する開放位置（図４（ａ）参照）との間で案内する、案内部１９を備えている。更に、吊戸棚１は、底板１１ｂの下面に折りたたみバー２０を設けている。
【００２０】
上部収納部１５は、前方へと開放され、前板２１ａ、一対の側板２１ｂ，２１ｂ、天板２１ｃ及び背板２１ｄを備える無底の引出戸２１と、この引出戸２１の一対の側板２１ｂ，２１ｂの間に取付けられた棒部材２３とを有する（図４参照）。引出戸２１の前板２１ａの前面には、引出戸２１を本体部１１から引出し、又は、本体部１１内に押込むための取手２５が設けられている。引出戸２１の一対の側板２１ｂ，２１ｂの内側面には、後述する多段式スライドレール３７（３段式スライドレール）の一対のインナーレール３７ｂ，３７ｂが取り付けられている（図４（ａ）参照）。棒部材２３は、円柱部材であり、引出戸２１の前板２１ａ寄りに配置されている（図４参照）。なお、棒部材２３は、角柱、円筒等の他の形状の部材としてもよい。
【００２１】
下部収納部１７は、前方へと開放される観音開きの扉体２７，２７と、下段の本体部１１内を仕切る固定仕切り板２９及び可動仕切り板３１，３１とを備えている。また、下部収納部１７には、可動仕切り板３１，３１の脱落を防止するための脱落防止用ダボ３３が設けられている。扉体２７，２７は、本体部１１の一対の側板１１ｃ，１１ｃの内側面に取付けられたヒンジ３５，３５（図３参照）を介して、一対の側板１１ｃ，１１ｃに固定されている。また、扉体２７，２７の下部が、底板１１ｂよりも下方にまで延びていることにより、扉体２７，２７を開閉するための手掛けを兼ねている。固定仕切り板２９は、区画板１３と本体部１１の底板１１ｄとの間に配置され、両側面に脱落防止用ダボ３３を挿入する複数の穴３４（図３参照）が形成されている。可動仕切り板３１，３１は、一対の側板１１ｃ，１１ｃと固定仕切り板２９との間に配置され、脱落防止用ダボ３３によって支持されている（図３参照）。この可動仕切り板３１，３１は、脱落防止用ダボ３３の取付位置を適宜変更することで、任意の位置に配置される。
【００２２】
案内部１９は、本体部１１の一対の側板１１ｃ，１１ｃの上部内側面に設けられ、引出戸２１を、格納位置（図４（ｂ）参照）と開放位置（図４（ａ）参照）との間で案内するものである。この案内部１９は、多段式スライドレール３７を備えている。具体的には、多段式スライドレール３７は、３段式スライドレールであり、本体部１１の一対の側板１１ｃ，１１ｃの内側面に取付けられた一対のアウターレール３７ａ，３７ａと、引出戸２１の一対の側板２１ｂ，２１ｂの外側面に取付けられた一対のインナーレール３７ｂ，３７ｂと、一対のアウターレール３７ａ，３７ａ及び一対のインナーレール３７ｂ，３７ｂを連結する一対の中間レール３７ｃ，３７ｃとから構成されている。また、３段式スライドレール３７は、ソフトクロージング機構３９が備えられている（図２及び図４参照）。このソフトクロージング機構３９は、緩衝作用及び引込み作用を備えた公知の構成であり、引出戸２１を自動的に格納位置に引込み、閉止させるものである。ソフトクロージング機構３９の緩衝作用は、一対のインナーレール３７ｂ，３７ｂ及び一対の中間レール３７ｃ，３７ｃの移動速度を減速させ、本体部１１と引出戸２１とが衝突するようにして当接することを防ぐ。ソフトクロージング機構３９の引込み作用は、一対のインナーレール３７ｂ，３７ｂ及び一対の中間レール３７ｃ，３７ｃを一対のアウターレール３７ａ，３７ａに対する格納位置に自動的に引込み、この引込みに伴って引出戸２１を格納位置に引込みつつ、本体部１１内で閉止させる。
【００２３】
次に、一実施形態に係る吊戸棚１の使用方法について、図を参照しながら以下に説明する。
上部収納棚１５によって、洗濯物５（図２では、Ｔシャツ）を仮干す場合、引出戸２１の前板２１ａに設けられた取手２５を把持し、引出戸２１を前方へと引き出す。このとき、一対のアウターレール３７ａ，３７ａから一対のインナーレール３７ｂ，３７ｂ及び中間レール３７ｃ，３７ｃが開放位置側に向かって移動して、一対の中間レール３７ｃ，３７ｃが所定の位置に達すると、一対のインナーレール３７ｂ，３７ｂが一対の中間レール３７ｃ，３７ｃからさらに開放位置側に向かって移動する。そして、洗濯機７内からＴシャツ５を取り出して、Ｔシャツ５をハンガー３に掛けて、このハンガー３を上部収納部１５の棒部材２３に掛け（図２参照）、洗濯機７の上方でＴシャツ５を仮干しする。このとき、下部収納部１７の一対の扉体２７，２７は、閉じられたままである。
【００２４】
引出戸２１を本体部１１内に格納する場合、引出戸２１を後方（格納位置の方向）に向かって押込む。このとき、引出戸２１は、３段スライドレール３７により、格納位置（図４（ｂ）参照）に案内される。そして、引出戸２１が格納位置の手前まで移動した際、一対の中間レール３７ｃ，３７ｃがソフトクロージング機構３９と係合し、ソフトクロージング機構３９の緩衝作用により、一対のインナーレール３７ｂ，３７ｂ及び一対の中間レール３７ｃ，３７ｃの移動速度を減速させながら、一対のインナーレール３７ｂ，３７ｂ及び一対の中間レール３７ｃ，３７ｃを一対のアウターレール３７ａ，３７ａに対する格納位置に向かってスライドさせる。更に、ソフトクロージング機構３９の引込み作用により、一対のインナーレール３７ｂ，３７ｂ及び一対の中間レール３７ｃ，３７ｃを一対のアウターレール３７ａ，３７ａ内に引込むことで、引出戸２１を自動的に格納位置まで引込み、本体部１１内で閉止させる。
【００２５】
また、タオル等の衣類品や、洗濯バサミ等の洗濯用具、又は、洗剤、柔軟剤等の洗濯剤を下部収納部１７に収納する又はこれらを下部収納部１７から取り出す場合、予め引出戸２１を本体部１１内に格納させた状態、又は、引出戸２１が開放位置にあるが、Ｔシャツ５等の洗濯物を仮干ししていない状態で、一対の扉体２７，２７の下部に手を掛けて掴み、一対の扉体２７，２７を開く。そして、タオル等の衣類品や、洗濯バサミ等の洗濯用具、又は、洗剤、柔軟剤等の洗濯剤を収納する又は取出す。ここで、例えば、高さのある洗剤ボトル等を置くとき、可動仕切り板３１，３１の位置を変更することで、高さのある洗剤ボトルを置くことができる。具体的には、脱落防止用ダボ３３を一対の側板１１ｃ，１１ｃ及び固定仕切り板２９の穴１２，３４に適当に挿入することで、可動仕切り板３１，３１の位置を変更する。
【００２６】
上記構成を有する一実施形態の吊戸棚１によると、吊戸棚１は、家屋内の洗濯機用防水パン９の上方に配置することにより、洗濯機用防水パン９の上方の空間を有効に活用することが可能となる。
【００２７】
また、一実施形態に係る吊戸棚１は、上下二段構造とされ、上段が、スライド式の引出戸２１と、この引出戸２１の一対の側板２１ｂ，２１ｂの間に取付けらた棒部材２３とを有した上部収納部１５として構成されている。そして、引出戸２１を本体部１１内に格納される格納位置と前方へと開放される開放位置との間で案内する案内部１９（３段式スライドレール３７）を備えている。これにより、引出戸２１は、格納位置と開放位置との間で円滑に移動することが可能となる。更に、引出戸２１を本体部１１から引き出し、洗濯物５（図２では、Ｔシャツ）を掛けたハンガー３を棒部材２３に掛けることで、洗濯機用パン９の上部でＴシャツ５を仮干しすることが可能となる。また、引出戸２１が本体部１１から引き出された状態（図４（ａ）参照）では、引出戸２１が洗濯機７の上方に位置することから、棒部材２３に掛けられたＴシャツ５等の位置も必然的に高い位置となって洗濯機７から離れるため、Ｔシャツ等の洗濯物５が洗濯機７に接触し難くなる。
【００２８】
更に、一実施形態に係る吊戸棚１は、下段が、前方へと開放される観音開きの扉体２７，２７と、下段の本体部１１内を仕切る固定仕切り板２９及び可動仕切り板３１，３１とを有した下部収納部１７として構成されている。これにより、固定仕切り板２９と可動仕切り板３１，３１とによって、複数に区分けされた収納箇所が形成され、タオル等の衣類品や、洗濯バサミ等の洗濯用具、又は、洗剤、柔軟剤等の洗濯剤を任意に複数の収納箇所それぞれに配置することが可能となる。また、可動仕切り板３１，３１は、脱落防止用ダボ３３を一対の側板１１ｃ，１１ｃ及び可動仕切り板２９に形成された穴１２，３４に対して適当に挿入することで、任意の位置に配置することが可能であるため、適宜位置を変更するこにより、例えば、高さのある洗剤ボトル等を置くことが可能となり、利便性に優れる。
【００２９】
また、一実施形態に係る吊戸棚１の案内部１９は、一対のアウターレール３７ａ，３７ａ、一対のインナーレール３７ｂ，３７ｂ及び一対の中間レール３７ｃ，３７ｃとからなる３段式スライドレール３７を備えている。これにより、引出戸２１を開放位置に移動させる際、一対のアウターレール３７ａ，３７ａから一対のインナーレール３７ｂ，３７ｂ及び中間レール３７ｃ，３７ｃが開放位置側に向かって移動して、一対の中間レール３７ｃ，３７ｃが所定の位置に達すると、一対のインナーレール３７ｂ，３７ｂが一対の中間レール３７ｃ，３７ｃからさらに開放位置側に向かって移動する。このため、一対のアウターレール３７ａ，３７ａに対する一対の中間レール３７ｃ，３７ｃの移動距離、及び、一対の中間レール３７ｃ，３７ｃに対する一対のインナーレール３７ｂ，３７ｂの移動距離の和の分だけ、引出戸２１に取付けた棒部材２３を洗濯機７の上方から前方へと離間させられる。よって棒部材２３にハンガー３を掛けたとしても、Ｔシャツ５が洗濯機７の前方に位置して、洗濯機７に接触し難くなる。
【００３０】
また、一実施形態に係る吊戸棚１は、３段式スライドレール３７にソフトクロージング機構３９を備えている。これにより、引出戸２１が格納位置の手前まで移動したとき、一対の中間レール３７ｃ，３７ｃとソフトクロージング機構３９とが係合し、ソフトクロージング機構３９の緩衝作用により、一対のインナーレール３７ｂ，３７ｂ及び一対の中間レール３７ｃ，３７ｃの移動速度を減速させながら、一対のインナーレール３７ｂ，３７ｂ及び一対の中間レール３７ｃ，３７ｃをスライドさせられる。このため、ソフトクロージング機構３９の緩衝作用によって、引出戸２１が本体部１１に衝突するようにして当接することを防ぎ、この衝突による衝突音を低減させることが可能となる。
【００３１】
更に、ソフトクロージング機構３９の引込み作用により、一対のインナーレール３７ｂ，３７ｂ及び一対の中間レール３７ｃ，３７ｃを一対のアウターレール３７ａ，３７ａ内に引込むことにより、引出戸２１が自動的に格納位置まで引込まれ閉止させられる。これにより、引出戸２１は、ソフトクロージング機構３９の引込み作用によって、自動的に格納位置まで正確に引込むことができるため、引出戸２１を本体部１１内に最後まで押込む操作が必要なくなる。
【００３２】
また、一実施形態に係る吊戸棚１は、本体部１１の底板１１ｂの下面に、折りたたみバー２０を設けることで、折りたたみバー２０をハンガー掛け又はタオル掛けとして用いることができ、利便性に優れる。
【００３３】
なお、一実施形態に係る吊戸棚１では、引出戸２１は、前板２１ａ、一対の側板２１ｂ，２１ｂ、天板２１ｃ及び背板２１ｄで構成されているが、前板、一対の側板及び背板とを備えた中空型引出戸としてもよい。これにより、天板及び底板が開放されていることにより、洗濯物の乾燥を促すことが可能となる。
【００３４】
また、一実施形態に係る吊戸棚１では、引出戸２１を格納位置と開放位置との間に案内するために３段式スライドレール３７を設置しているが、２段式スライドレール等の他のスライドレールを用いてもよい。
【００３５】
更に、３段式スライドレール３７には、ソフトクロージング機構３９を備えているが、プッシュオープン機構を備えた３段式スライドレールを用いてもよい。また、一対の扉体２７，２７は、プッシュオープンタイプの扉体であってもよい。
【符号の説明】
【００３６】
１…吊戸棚、９…洗濯機用防水パン、１１…本体部、１１ａ…天板、１１ｂ…底板、１１ｃ…一対の側板、１１ｄ…背板、１３…区画板、１５…上部収納部、１７…下部収納部、１９…案内部、２１…引出戸、２１ａ…前板、２１ｂ…一対の側板、２１ｄ…背板、２１…棒部材、２７…扉体、２９…固定仕切り板、３１…可動仕切り板
【図１】
0003210617.tif 000003
【図２】
0003210617.tif 000004
【図３】
0003210617.tif 000005
【図４】
0003210617.tif 000006
【図５】
0003210617.tif 000007